(57)【要約】【課題】３者以上で通話を行う際に、現在接続されている相手と、現在の話者を視覚的に表示できる話者通知システムおよび話者通知方法を提供する。【解決手段】携帯電話端末１００は複数話者通話用交換機１１０に接続し、他の携帯電話端末と複数話者同時通話を開始する。複数話者通話用交換機１１０は接続している携帯電話端末の情報をそれぞれの携帯電話端末に通知するとともに、現在どの携帯電話端末の話者が話をしているか検出し、その情報を各携帯電話端末へ通知する。携帯電話端末１００は複数話者通話用交換機１１０より通知される各携帯電話端末の情報を接続先／話者情報表示部１０３に表示するとともに、複数話者通話用交換機１１０より通知される現在の話者情報も表示する。このようにして、３者以上通話時の接続先および現在の話者の表示を可能にする。【選択図】　　　　図１
2004064236.tif 000002
【特許請求の範囲】
【請求項１】
三つ以上の携帯電話端末と、前記携帯電話端末の利用者が互いに通話するため相手方の電話線につなぐ複数話者通話用交換機と、前記携帯電話端末と前記複数話者通話用交換機との間で音声情報を通知する電話回線網とを有し、三者以上で携帯電話による同時通話を行う話者通知システムであって、
前記携帯電話端末は、音声の着発信、通話を行う音声通知部と、前記複数話者通話用交換機に自らの接続状況を通知するとともに、前記複数話者通話用交換機より他の携帯電話端末の接続状況を取得し、現在の通話相手を表す接続先情報および現在の話者を表す話者情報を受信する接続先／話者データ送受信部と、前記接続先情報および前記話者情報を表示する接続先／話者情報表示部とを有し、
前記複数話者通話用交換機は、前記複数話者通話用交換機に接続している前記携帯電話端末より接続情報を取得するとともに、前記接続先情報および前記話者情報を前記携帯電話端末に通知する接続先／話者通知部と、前記複数話者通話用交換機に接続している前記携帯電話端末の情報を記憶する接続先記憶部とを有することを特徴とする話者通知システム。
【請求項２】
前記携帯電話端末はイヤホンを有し、
前記イヤホンを使用して３者以上で通話、通信を行い、前記接続先／話者情報表示部に前記接続先情報または前記話者情報を表示することを特徴とする請求項１に記載の話者通知システム。
【請求項３】
前記接続先／話者情報表示部は、
前記接続先情報として通話者の前記携帯電話端末の電話番号を表示することを特徴とする請求項１または２に記載の話者通知システム。
【請求項４】
前記接続先／話者情報表示部は、
前記話者情報として現在の発話者の前記携帯電話端末の電話番号を表示することを特徴とする請求項１または２に記載の話者通知システム。
【請求項５】
三つ以上の携帯電話端末と、前記携帯電話端末の利用者が互いに通話するため相手方の電話線につなぐ複数話者通話用交換機と、前記携帯電話端末と前記複数話者通話用交換機との間で音声情報を通知する電話回線網とを有し、三者以上で携帯電話による同時通話を行う話者通知システムにおける話者通知方法であって、
前記携帯電話端末は、前記複数話者通話用交換機に自らの接続状況を通知する接続先データ送信ステップと、
前記複数話者通話用交換機は、前記複数話者通話用交換機に接続している前記携帯電話端末より接続情報を取得する接続先データ受信ステップと、現在の通話相手を表す接続先情報を前記携帯電話端末に送信する接続先情報通知ステップと、
前記携帯電話端末は、前記接続先情報を表示する接続先情報表示ステップとを有することを特徴とする話者通知方法。
【請求項６】
前記携帯電話端末はイヤホンを有し、
前記イヤホンを使用して３者以上で通話、通信を行い、前記接続先情報表示ステップに前記接続先情報を表示することを特徴とする請求項５に記載の話者通知方法。
【請求項７】
前記接続先情報表示ステップは、
前記接続先情報として通話者の前記携帯電話端末の電話番号を表示することを特徴とする請求項５または６に記載の話者通知方法。
【請求項８】
三つ以上の携帯電話端末と、前記携帯電話端末の利用者が互いに通話するため相手方の電話線につなぐ複数話者通話用交換機と、前記携帯電話端末と前記複数話者通話用交換機との間で音声情報を通知する電話回線網とを有し、三者以上で携帯電話による同時通話を行う話者通知システムにおける話者通知方法であって、
前記携帯電話端末は、前記複数話者通話用交換機に自らの接続状況を通知する接続先データ送信ステップと、
前記複数話者通話用交換機は、前記複数話者通話用交換機に接続している前記携帯電話端末より接続情報を取得する接続先データ受信ステップと、現在の話者を表す話者情報を前記携帯電話端末に送信する話者情報通知ステップと、
前記携帯電話端末は、前記話者情報を表示する話者情報表示ステップとを有することを特徴とする話者通知方法。
【請求項９】
前記携帯電話端末はイヤホンを有し、
前記イヤホンを使用して３者以上で通話、通信を行い、前記話者情報表示ステップにて前記話者情報を表示することを特徴とする請求項８に記載の話者通知方法。
【請求項１０】
前記話者情報表示ステップは、
前記話者情報として現在の発話者の前記携帯電話端末の電話番号を表示することを特徴とする請求項８または９に記載の話者通知方法。
【発明の詳細な説明】
【０００１】
【発明の属する技術分野】
本発明は、携帯電話で３者以上の通話を行う際に、現在接続されている相手と、現在の話者を視覚的に表示できる話者通知システムおよび話者通知方法に関するものである。
【０００２】
【従来の技術】
現在の携帯電話機では、電話回線側の交換機と連携することにより、３者以上の同時通話を行えるものもある。しかし現在誰と接続しているか、あるいは現在誰が話しているかは、話者の声質等により判断するしか方法がないという問題点が残されている。以下、携帯電話機に限らずこのような話者判断の問題点を解決するために行われてきた従来技術を記載する。
【０００３】
従来技術１　特開昭６３−２０９２６１号　「会議電話システム」
この発明はディスプレイ付きの複数の多機能電話機相互間の通信を行う会議電話システムに関するものであるが、その通信を行う際に話者の特定ができない状態を改善することを目的としている。このシステムでは多機能電話機から出力される多周波信号が識別され、対応する電話会議用の電話番号が検索され、接続されている全ての多機能電話機のディスプレイにその電話番号が表示されることで、電話会議の際に話をしようとする人が自分の多機能電話機のボタンを操作して、全ての電話会議参加者の多機能電話機のディスプレイに自分の多機能電話機の電話番号を表示させることができるようにしている。その結果、誰が話をしているのかを全ての電話会議参加者が知ることができるようになっている。
【０００４】
従来技術２　特開昭６４−０８５４６４号　「会議電話装置の話者表示方法」この発明は複数の電話機を同時に接続して電話によって会議を行う会議電話装置に関するものであり、多人数の参加者が電話会議により同時に話し合いを行う際に相手が見えないため、発言中の話者が誰であるかを認識できないという問題を改善するために、会議に参加している内線電話機の番号を表示器に表示するとともに、その表示のうち発言中の話者に対応する参加者番号を点滅させることにより、発言者を特定できるようになっている。
【０００５】
従来技術３　特開平１１−０９８５６５号　「携帯電話機」
この発明は割り込み電話や三者通話が可能な携帯電話機に関するものである。従来の携帯電話機では、割り込み着信しているのか、普通の１対１通話の状態か、また割り込み着信のときどちらと通話中でどちらが保留中かなどは使用者が状態を記憶している必要があった。また三者同時通話機能の場合にも、三者同時通話状態か、一方を保留して二者通話の状態か、あるいは通常の１対１通話の状態かなどをやはりユーザが記憶により認識している必要があった。これらはユーザにとっては負担であり、使い勝手の向上が求められていた。この発明ではそういった通話状態を容易かつ確実に認識できるようにすることを目的としており、保留・切断などといった操作に対応した各使用者の通話状態を表示器に表示することで、ユーザは現在の通話状態を表示により判断できるようにしている。
【０００６】
【発明が解決しようとする課題】
本発明は、携帯電話機で三者以上の通話を行う際、電話回線側の交換機と連携し、その携帯電話機の表示部によって、視覚的に接続相手先情報および現在の話者情報を確認できるようにすることを目的とする。
従来技術１は話者を特定するのに電話番号を使用するものの、その番号は電話会議用のそれであって、本発明のように携帯電話を使用した場合とは異なる。
従来技術２も電話会議での話者特定であって、その人の参加者番号を点滅することで使用者に知らせるようになっている点が本発明と異なる。
従来技術３は本発明と同じ状況下ではあるが、従来技術３は各使用者の接続状態を表示器に表示するのであって、本発明のように接続相手先情報および現在の話者情報を表示するものではない。
【０００７】
【課題を解決するための手段】
かかる目的を解決するため、請求項１に記載の発明は、三つ以上の携帯電話端末と、携帯電話端末の利用者が互いに通話するため相手方の電話線につなぐ複数話者通話用交換機と、携帯電話端末と複数話者通話用交換機との間で音声情報を通知する電話回線網とを有し、三者以上で携帯電話による同時通話を行う話者通知システムであって、携帯電話端末は、音声の着発信、通話を行う音声通知部と、複数話者通話用交換機に自らの接続状況を通知するとともに、複数話者通話用交換機より他の携帯電話端末の接続状況を取得し、現在の通話相手を表す接続先情報および現在の話者を表す話者情報を受信する接続先／話者データ送受信部と、接続先情報および話者情報を表示する接続先／話者情報表示部とを有し、複数話者通話用交換機は、複数話者通話用交換機に接続している携帯電話端末より接続情報を取得するとともに、接続先情報および話者情報を携帯電話端末に通知する接続先／話者通知部と、複数話者通話用交換機に接続している携帯電話端末の情報を記憶する接続先記憶部とを有することを特徴とする。
【０００８】
請求項２に記載の発明は、請求項１に記載の発明において、携帯電話端末はイヤホンを有し、イヤホンを使用して３者以上で通話、通信を行い、接続先／話者情報表示部に接続先情報または話者情報を表示することを特徴とする。
【０００９】
請求項３に記載の発明は、請求項１または２に記載の発明において、接続先／話者情報表示部は、接続先情報として通話者の携帯電話端末の電話番号を表示することを特徴とする。
【００１０】
請求項４に記載の発明は、請求項１または２に記載の発明において、接続先／話者情報表示部は、話者情報として現在の発話者の携帯電話端末の電話番号を表示することを特徴とする。
【００１１】
請求項５に記載の発明は、三つ以上の携帯電話端末と、携帯電話端末の利用者が互いに通話するため相手方の電話線につなぐ複数話者通話用交換機と、携帯電話端末と複数話者通話用交換機との間で音声情報を通知する電話回線網とを有し、三者以上で携帯電話による同時通話を行う話者通知システムにおける話者通知方法であって、携帯電話端末は、複数話者通話用交換機に自らの接続状況を通知する接続先データ送信ステップと、複数話者通話用交換機は、複数話者通話用交換機に接続している携帯電話端末より接続情報を取得する接続先データ受信ステップと、現在の通話相手を表す接続先情報を携帯電話端末に送信する接続先情報通知ステップと、携帯電話端末は、接続先情報を表示する接続先情報表示ステップとを有することを特徴とする。
【００１２】
請求項６に記載の発明は、請求項５に記載の発明において、携帯電話端末はイヤホンを有し、イヤホンを使用して３者以上で通話、通信を行い、接続先情報表示ステップに接続先情報を表示することを特徴とする。
【００１３】
請求項７に記載の発明は、請求項５または６に記載の発明において、接続先情報表示ステップは、接続先情報として通話者の携帯電話端末の電話番号を表示することを特徴とする。
【００１４】
請求項８に記載の発明は、三つ以上の携帯電話端末と、携帯電話端末の利用者が互いに通話するため相手方の電話線につなぐ複数話者通話用交換機と、携帯電話端末と複数話者通話用交換機との間で音声情報を通知する電話回線網とを有し、三者以上で携帯電話による同時通話を行う話者通知システムにおける話者通知方法であって、携帯電話端末は、複数話者通話用交換機に自らの接続状況を通知する接続先データ送信ステップと、複数話者通話用交換機は、複数話者通話用交換機に接続している携帯電話端末より接続情報を取得する接続先データ受信ステップと、現在の話者を表す話者情報を携帯電話端末に送信する話者情報通知ステップと、携帯電話端末は、話者情報を表示する話者情報表示ステップとを有することを特徴とする。
【００１５】
請求項９に記載の発明は、請求項８に記載の発明において、携帯電話端末はイヤホンを有し、イヤホンを使用して３者以上で通話、通信を行い、話者情報表示ステップにて話者情報を表示することを特徴とする。
【００１６】
請求項１０に記載の発明は、請求項８または９に記載の発明において、話者情報表示ステップは、話者情報として現在の発話者の携帯電話端末の電話番号を表示することを特徴とする。
【００１７】
【発明の実施の形態】
以下、本発明の実施の形態を図面を参照しながら説明する。
【００１８】
［実施例１］
［実施例１の構成］
図１は本実施形態のシステム構成図である。このシステムは、携帯電話端末１００と複数話者通話用交換機１１０と、電話回線網１２０で構成されている。
携帯電話端末１００は電話回線網１２０に接続されており、音声通話部１０１と、接続先／話者データ送受信部１０２と、接続先／話者情報表示部１０３およびマイクとスピーカで構成されている。
複数話者通話用交換機１１０は電話回線網１２０に接続されており、接続先記憶部１１１と、接続先／話者通知部１１２で構成されている。
電話回線網１２０は音声情報と接続携帯電話端末情報、話者情報を通知する通信ネットワークである。
【００１９】
音声通話部１０１は音声の着発信、通話を行う機能を有している。
接続先／話者データ送受信部１０２は複数話者通話用交換機１１０に自らの接続状況を通知するとともに、他の携帯端末の接続状況を取得する機能を有している。
接続先／話者情報表示部１０３は複数話者通話用交換機１１０より通知される各携帯電話端末の接続先の情報および現在の話者情報を表示する。
接続先記憶部１１１は複数話者通話用交換機１１０に接続している携帯電話端末の情報を記憶する機能を有している。
接続先／話者通知部１１２は複数話者通話用交換機１１０に接続している携帯電話端末より接続情報を取得すると共に、他の携帯電話端末の情報および現在の話者情報を通知する機能を有している。
【００２０】
図１において、携帯電話端末１００は複数話者通話用交換機１１０に接続し、他の携帯電話端末と複数話者同時通話を開始する。複数話者通話用交換機１１０は接続している携帯電話端末の情報をそれぞれの携帯電話端末に通知するとともに、現在どの携帯電話端末の話者が話をしているか検出し、その情報を各携帯電話端末へ通知する。携帯電話端末１００は複数話者通話用交換機１１０より通知される各携帯電話端末の情報を接続先／話者情報表示部１０３に表示するとともに、複数話者通話用交換機１１０より通知される現在の話者情報も表示する。このようにして、３者以上通話時の接続先および現在の話者の表示を可能にする。
【００２１】
［実施例１の動作の説明］
図２の全体構成図を用いて本実施例の全体の動作について説明する。この図２は携帯電話端末５（２００）、携帯電話端末１〜４（２３０〜２６０）の間で通話が行われ、携帯電話端末５（２００）を中心に会話が行われる様子を示している。
【００２２】
携帯電話端末５（２００）は複数話者通話用交換機２１０に接続し、自端末の電話番号（０９０−５５５５−５５５５）を通知する。
複数話者通話用交換機２１０は、携帯電話端末５（２００）より受信した各端末の電話番号を接続先／話者通知部２１２で受信し、接続先記憶部２１１に記憶するとともに、他に複数話者通話を行う携帯電話端末１〜４（２３０〜２６０）との通話を開始する。また、複数話者通話用交換機２１０は携帯電話端末５（２００）に接続中の携帯電話端末１〜４（２３０〜２６０）の情報を通知する。
携帯電話端末５（２００）は、複数話者通話用交換機２１０より通知された携帯電話端末１〜４（２３０〜２６０）の情報を接続先／話者データ送受信部２０２にて受信し、接続先／話者情報表示部２０３に表示する。
【００２３】
各携帯電話端末間で通話が開始された後、複数話者通話用交換機２１０は現在発話中の携帯電話端末を検知し、その情報を各携帯電話端末に通知する。
話者情報を受信した携帯電話端末５（２００）は、接続先／話者表示部２０３に表示される接続中携帯電話端末の一覧の中から、該当する携帯電話端末を反転表示するなどの方法により表示する。
このようにして、３者以上通話時の接続先および現在の話者の表示を可能にする。
【００２４】
なお、図２においては携帯電話端末５（２００）の接続先／話者表示部２０３には携帯電話端末１〜４（２３０〜２６０）の情報として各携帯電話に登録されている名称（ＡＡＡＡ〜ＤＤＤＤ）が表示されているが、代わりに各携帯電話の電話番号（０９０−１１１１−１１１１〜０９０−４４４４−４４４４）を表示することも可能である。
【００２５】
［実施例２］
本発明は携帯電話にマイク付きイヤホンを付け、そのイヤホンを通じて３者以上で通話、通信を行うときでも、接続情報と話者情報が判別できるような機能を有している。その様子を図２を用いて説明する。なお、この実施例２では携帯電話端末５（２００）がイヤホンを利用して通話することを想定して説明する。
【００２６】
携帯電話端末５（２００）は複数話者通話用交換機２１０に接続し、自端末の電話番号（０９０−５５５５−５５５５）を通知する。
複数話者通話用交換機２１０は、携帯電話端末５（２００）より受信した各端末の電話番号を接続先／話者通知部２１２で受信し、接続先記憶部２１１に記憶するとともに、他に複数話者通話を行う携帯電話端末１〜４（２３０〜２６０）との通話を開始する。また、複数話者通話用交換機２１０は携帯電話端末５（２００）に接続中の携帯電話端末１〜４（２３０〜２６０）の情報を通知する。
携帯電話端末５（２００）は、複数話者通話用交換機２１０より通知された携帯電話端末１〜４（２３０〜２６０）の情報を接続先／話者データ送受信部２０２にて受信し、接続先／話者情報表示部２０３に表示する。
【００２７】
携帯電話端末５（２００）がイヤホンを使用しながら各携帯電話端末間で通話が開始された後、複数話者通話用交換機２１０は現在発話中の携帯電話端末を検知し、その情報を各携帯電話端末に通知する。
話者情報を受信した携帯電話端末５（２００）は、接続先／話者表示部２０３に表示される接続中携帯電話端末の一覧の中から、該当する携帯電話端末を反転表示するなどの方法により表示する。
このようにして、３者以上通話時の接続先および現在の話者の表示をイヤホンを使用している状態でも可能にする。
【００２８】
なお、図２において携帯電話端末５（２００）の接続先／話者表示部２０３には携帯電話端末１〜４（２３０〜２６０）の情報として、各携帯電話の電話番号（０９０−１１１１−１１１１〜０９０−４４４４−４４４４）を表示することが可能であるのはイヤホンを使用した場合でも同様である。
【００２９】
【発明の効果】
第１の効果は、３者以上通話中の接続相手を視覚的にとらえることができることにある。その理由は、電話回線側の交換機より、現在の接続相手情報が通知されるためである。
【００３０】
第２の効果は、３者以上通話中の現在の話者を視覚的にとらえることができることにある。その理由は、電話回線側の交換機より、現在の話者情報が通知されるためである。
【００３１】
第３の効果は、イヤホンを使用しながら通話することで、通話中の接続相手と現在の話者情報を視覚的にとらえることが容易になることにある。
【図面の簡単な説明】
【図１】本発明の話者通知システム構成図である。
【図２】話者通知システムの動作処理を表す図である。
【符号の説明】
１００　携帯電話端末
１０１　音声通話部
１０２　接続先／話者データ送受信部
１０３　接続先／話者情報表示部
１１０　複数話者通話用交換機
１１１　接続先記憶部
１１２　接続先／話者通知部
１２０　電話回線網
【図１】
2004064236.tif 000003
【図２】
2004064236.tif 000004